(57)【要約】【課題】スケジュール登録のユーザの手間やスケジュール確認忘れを軽減することができ、スケジュール管理機能としての操作性の向上を図ることができる端末装置を提供する。【解決手段】メッセージ情報を受信し、スケジュール情報がメッセージ情報を格納するかを判定し、メッセージ情報にスケジュール情報が格納されると判定された場合に、スケジュール情報を登録する。そして、スケジュール情報で示されるスケジュール日時情報を待ち受け画面へ表示する。【選択図】図１
2012128626.tif 000002
【特許請求の範囲】
【請求項１】
通信ネットワークを介してスケジュール情報を格納したメッセージ情報を受信するメッセージ情報受信部と、
前記スケジュール情報が前記メッセージ情報を格納するかを判定するスケジュール格納有無判定部と、
前記メッセージ情報に前記スケジュール情報が格納されると判定された場合に、前記スケジュール情報を登録するスケジュール情報登録部と、
前記スケジュール情報で示されるスケジュール日時情報を待ち受け画面へ表示するスケジュール日時情報表示部と、
を備えることを特徴とする端末装置。
【請求項２】
前記待ち受け画面に表示されたスケジュール日時情報が選択された場合に、当該スケジュール日時情報が示す日時でのスケジュールへの参加可または参加不可を登録する参加可否登録用画面を出力する参加可否登録用画面出力部と、
前記参加可否登録用画面において参加不可の操作がされた場合に、前記参加可否登録用画面の前記待ち受け画面へ表示したスケジュール情報格納のメッセージ情報に対する返信として参加不可を示す参加不可通知メッセージ情報を送信する参加不可通知メッセージ返信部と、
を備えることを特徴とする請求項１に記載の端末装置。
【請求項３】
前記受信したメッセージ情報に格納されたスケジュール情報と、既に登録されたスケジュール情報とがそれぞれ示すスケジュール日時情報が一致するかを判定し、一致する場合には、その旨を示す重複通知メッセージ情報を、前記受信したメッセージ情報に対する返信として送信する重複通知メッセージ返信部と、
を備えることを特徴とする請求項１または請求項２に記載の端末装置。
【請求項４】
前記スケジュール情報は、少なくとも、前記スケジュール日時情報、スケジュール情報であることを示す件名情報を示し、
前記スケジュール格納有無判定部は、前記スケジュール日時情報または前記件名情報の何れか一方または両方が前記スケジュール情報で示される場合には、前記メッセージ情報に前記スケジュール情報が格納されると判定する
ことを特徴とする請求項１から請求項３の何れか一項に記載の端末装置。
【請求項５】
端末装置におけるスケジュール管理方法であって、
通信ネットワークを介してスケジュール情報を格納したメッセージ情報を受信し、
前記スケジュール情報が前記メッセージ情報を格納するかを判定し、
前記メッセージ情報に前記スケジュール情報が格納されると判定された場合に、前記スケジュール情報を登録し、
前記スケジュール情報で示されるスケジュール日時情報を待ち受け画面へ表示する
ことを特徴とするスケジュール管理方法。
【請求項６】
前記待ち受け画面に表示されたスケジュール日時情報が選択された場合に、当該スケジュール日時情報が示す日時でのスケジュールへの参加可または参加不可を登録する参加可否登録用画面を出力し、
前記参加可否登録用画面において参加不可の操作がされた場合に、前記参加可否登録用画面の前記待ち受け画面へ表示したスケジュール情報格納のメッセージ情報に対する返信として参加不可を示す参加不可通知メッセージ情報を送信する
ことを特徴とする請求項５に記載のスケジュール管理方法。
【請求項７】
前記受信したメッセージ情報に格納されたスケジュール情報と、既に登録されたスケジュール情報とがそれぞれ示すスケジュール日時情報が一致するかを判定し、一致する場合には、その旨を示す重複通知メッセージ情報を、前記受信したメッセージ情報に対する返信として送信する
ことを特徴とする請求項５または請求項６に記載のスケジュール管理方法。
【請求項８】
端末装置のコンピュータを、
通信ネットワークを介してスケジュール情報を格納したメッセージ情報を受信するメッセージ情報受信手段、
前記スケジュール情報が前記メッセージ情報を格納するかを判定するスケジュール格納有無判定手段、
前記メッセージ情報に前記スケジュール情報が格納されると判定された場合に、前記スケジュール情報を登録するスケジュール情報登録手段、
前記スケジュール情報で示されるスケジュール日時情報を待ち受け画面へ表示するスケジュール日時情報表示手段、
として機能させることを特徴とするプログラム。
【請求項９】
さらに、
前記待ち受け画面に表示されたスケジュール日時情報が選択された場合に、当該スケジュール日時情報が示す日時でのスケジュールへの参加可または参加不可を登録する参加可否登録用画面を出力する参加可否登録用画面出力手段、
前記参加可否登録用画面において参加不可の操作がされた場合に、前記参加可否登録用画面の前記待ち受け画面へ表示したスケジュール情報格納のメッセージ情報に対する返信として参加不可を示す参加不可通知メッセージ情報を送信する参加不可通知メッセージ返信手段、
として機能させることを特徴とする請求項８に記載のプログラム。
【請求項１０】
さらに、
前記受信したメッセージ情報に格納されたスケジュール情報と、既に登録されたスケジュール情報とがそれぞれ示すスケジュール日時情報が一致するかを判定し、一致する場合には、その旨を示す重複通知メッセージ情報を、前記受信したメッセージ情報に対する返信として送信する重複通知メッセージ返信手段、
として機能させることを特徴とする請求項８または請求項９に記載のプログラム。
【発明の詳細な説明】
【技術分野】
【０００１】
本発明は、スケジュールを管理する端末装置、当該端末装置におけるスケジュール管理方法、プログラムに関する。
【背景技術】
【０００２】
携帯電話などの端末装置にはスケジュールを登録できる機能が備えられている。当該機能を利用する際には、ユーザは自らの操作によってスケジュール登録作業を行う必要がある。そして、このようなスケジュールの登録作業の手間を軽減できる技術が特許文献１に開示されている。
【先行技術文献】
【特許文献】
【０００３】
【特許文献１】特開平１０−２６９２８３号公報
【発明の概要】
【発明が解決しようとする課題】
【０００４】
ところで上述の特許文献１の技術では、自動的なスケジュール機能へのスケジュールの登録があっても、登録するスケジュールを確認するためには、スケジューラのアプリケーションプログラムを、端末を操作して起動する必要があり、より操作性のよい技術が求められている。
【０００５】
そこでこの発明は、上述の課題を解決することのできる端末装置、端末装置におけるスケジュール管理方法、プログラムを提供することを目的としている。
【課題を解決するための手段】
【０００６】
上記目的を達成するために、本発明は、通信ネットワークを介してスケジュール情報を格納したメッセージ情報を受信するメッセージ情報受信部と、前記スケジュール情報が前記メッセージ情報を格納するかを判定するスケジュール格納有無判定部と、前記メッセージ情報に前記スケジュール情報が格納されると判定された場合に、前記スケジュール情報を登録するスケジュール情報登録部と、前記スケジュール情報で示されるスケジュール日時情報を待ち受け画面へ表示するスケジュール日時情報表示部と、を備えることを特徴とする端末装置である。
【０００７】
また本発明は、端末装置におけるスケジュール管理方法であって、通信ネットワークを介してスケジュール情報を格納したメッセージ情報を受信し、前記スケジュール情報が前記メッセージ情報を格納するかを判定し、前記メッセージ情報に前記スケジュール情報が格納されると判定された場合に、前記スケジュール情報を登録し、前記スケジュール情報で示されるスケジュール日時情報を待ち受け画面へ表示することを特徴とするスケジュール管理方法である。
【０００８】
また本発明は、端末装置のコンピュータを、通信ネットワークを介してスケジュール情報を格納したメッセージ情報を受信するメッセージ情報受信手段、前記スケジュール情報が前記メッセージ情報を格納するかを判定するスケジュール格納有無判定手段、前記メッセージ情報に前記スケジュール情報が格納されると判定された場合に、前記スケジュール情報を登録するスケジュール情報登録手段、前記スケジュール情報で示されるスケジュール日時情報を待ち受け画面へ表示するスケジュール日時情報表示手段、として機能させることを特徴とするプログラムである。
【発明の効果】
【０００９】
本発明によれば、スケジュール登録のユーザの手間を軽減することができる。また、登録されたスケジュールを確認する労力や、確認忘れを軽減することができ、スケジュール管理機能としての操作性の向上を図ることができる。
【図面の簡単な説明】
【００１０】
【図１】端末装置の構成を示すブロック図である。
【図２】スケジュール情報の格納されたメッセージ情報の例を示す図である。
【図３】記憶部が記憶する情報の例を示す図である。
【図４】端末装置の処理フローを示す図である。
【図５】待ち受け画面に表示されたスケジュール日時情報の一例を示す図である。
【発明を実施するための形態】
【００１１】
以下、本発明の一実施形態による端末装置を図面を参照して説明する。
図１は同実施形態による端末装置の構成を示すブロック図である。
この図において、符号１は端末装置である。端末装置１は、例えば、携帯電話やＰＤＡなどである。その他、端末装置１の機能をＰＣ（パーソナルコンピュータ）に備えるようにしてもよい。
そして、端末装置１は、通話やメッセージの着信を着信音などでユーザに報知する報知部１１、ユーザの音声を集音するマイク１２、相手の通話音声を出力するレシーバ１３、ユーザの端末装置１に対する指示入力をボタンやタッチパネルの機能から受け付ける操作部１４、操作用画面などを出力する表示部１５、処理に必要な各種情報を記憶する記憶部１６、他端末と通信するために基地局装置との通信を行う無線処理部１７、各種処理を制御する制御部１８、アンテナ１９を備えている。
【００１２】
また制御部１８は、メッセージ情報受信部８１、スケジュール格納有無判定部８２、重複通知メッセージ返信部８３、スケジュール情報登録部８４、スケジュール日時情報表示部８５、参加可否登録用画面出力部８６、参加不可通知メッセージ返信部８７の各処理部を備えている。
ここで、メッセージ情報受信部８１は、通信ネットワークを介してスケジュール情報を格納したメッセージ情報を受信する処理部である。
また、スケジュール格納有無判定部８２は、スケジュール情報がメッセージ情報を格納するかを判定する処理部である。
また、重複通知メッセージ返信部８３は、受信したメッセージ情報に格納されたスケジュール情報と、既に登録されたスケジュール情報とがそれぞれ示すスケジュール日時情報が一致するかを判定し、一致する場合には、その旨を示す重複通知メッセージ情報を、受信したメッセージ情報に対する返信として送信する処理部である。
【００１３】
またスケジュール情報登録部８４は、メッセージ情報にスケジュール情報が格納されると判定された場合などに、スケジュール情報を登録する処理部である。
またスケジュール日時情報表示部８５は、スケジュール情報で示されるスケジュール日時情報を待ち受け画面へ表示する処理部である。
また参加可否登録用画面出力部８６は、待ち受け画面に表示されたスケジュール日時情報が選択された場合に、当該スケジュール日時情報が示す日時でのスケジュールへの参加可または参加不可を登録する参加可否登録用画面を出力する処理部である。
また参加不可通知メッセージ返信部８７は、参加可否登録用画面において参加不可の操作がされた場合に、参加可否登録用画面の待ち受け画面へ表示したスケジュール情報格納のメッセージ情報に対する返信として参加不可を示す参加不可通知メッセージ情報を送信する処理部である。
【００１４】
そして、このような各処理部の処理によって、端末装置１は、受信したメッセージ情報にスケジュール情報が格納されている場合に、ユーザの労力を要さずに、また操作性良く、スケジュールを登録できる機能を提供する。
【００１５】
図２はスケジュール情報の格納されたメッセージ情報の例を示す図である。
この図においては（ａ），（ｂ）の２つのメッセージ情報を示している。当該メッセージ情報は、本実施形態においては電子メールであり、送信者、電子メールを受信した日付、電子メールの件名（「スケジュール設定」）、本文の情報により構成されている。本文にはスケジュール情報として、スケジュール登録名（日程会議やグループ会議）、スケジュール登録日（２０１０／９／１７（金））、スケジュール登録時間（１０：００〜１１：００や１５：００〜１６：００）、アラーム通知要否、場所、などの情報が格納されている。
当該メッセージ情報は、スケジュール通知者であるユーザが他の端末装置を利用して作成した電子メールであり、端末装置１は、他の端末装置から送信された図２で示すような電子メールを受信する。そして、端末装置１は、このメッセージ情報にスケジュール情報が格納されているかを判定して、格納されていると判定した場合には、そのスケジュール情報を記録する。登録できる内容については、端末装置１のユーザの希望する項目のみを設定できるようにしても構わない。
【００１６】
図３は記憶部が記憶する情報の例を示す図である。
この図が示すように記憶部１６には、スケジュール登録を許可するメールアドレスが特定アドレス記憶領域に、また、受信した電子メールがスケジュール情報の格納された電子メールか、そうでない電子メールかを判断するためのスケジュール判定用情報として件名が判定用情報記憶領域に記録されている。
本実施形態においては、端末装置１は、電子メールを受信した場合、その電子メールの送信元のメールアドレスが、記憶部１６の特定アドレス記憶領域に記録されており、かつ、受信した電子メールの件名が、記憶部１６のスケジュール判定用情報記憶領域に記録されている場合に、当該受信した電子メールにスケジュール情報が格納されていると判定する。
【００１７】
なお、端末装置１は受信した電子メールのメールアドレスや件名のうち、何れか一方の情報が記憶部１６の所定の記憶領域に記録されている場合にスケジュール情報が格納されていると判定するようにしてもよい。
または、端末装置１は、受信した電子メールの他の領域（本文など）に記載されている情報を読み取って、当該情報が記憶部１６の所定の記憶領域に記録されている場合にスケジュール情報が格納されていると判定するようにしてもよい。例えば、本文に『スケジュール登録』などの文字列がある場合には、その電子メールにスケジュール情報が格納されていると判定するようにしてもよい。
記憶部１６の所定の領域に格納されているスケジュール判定用の情報は、ユーザが端末装置１を操作して登録したものとしてもよいし、予め登録されたものであってもよい。
【００１８】
また、図３に示すように記憶部１６にはスケジュール情報記憶領域にスケジュール情報が格納される。当該スケジュール情報は、ユーザの操作またはスケジュール情報登録部８４の自動的な登録処理により登録されたスケジュール情報であり、電子メールの本文に記載されるスケジュール情報が登録される。具体的には、スケジュール登録名、スケジュール登録日、スケジュール登録時間、開始アラーム要否、場所、などの情報が対応付けられて登録される。この他、電子メールのメールアドレスに対応する送信者（氏名など）が対応付けられて登録されるようにしてもよい。
【００１９】
図４は端末装置の処理フローを示す図である。
次に、端末装置１の処理の詳細について順を追って説明する。
まず、基地局装置から発信された信号を、端末装置１がアンテナ１９にて受信し、無線処理部１７にてベースバンド信号へ変換する。そして、変換されたベースバンド信号は制御部１８に入力され、受信した信号により各種処理を行う。ここで、受信した信号が音声通話の信号である場合、制御部１８の通話処理部（図示せず）が表示部１５へ着信した電話番号に紐付けされて記憶部１６に登録された氏名を表示し、報知部１１へ着信音を鳴らすよう指示する信号を出力する。そして、ユーザが操作部１４を操作して通話開始を指示し、発話すると、マイク１２を介して発話音声が送信される。また相手先の端末からの音声がレシーバ１３から出力される。
【００２０】
また、受信した信号が電子メールの信号である場合、メッセージ情報受信部８１が電子メールの信号を受信して（ステップＳ１０１）、電子メールを生成し、スケジュール格納有無判定部８２へ出力する。すると、スケジュール格納有無判定部８２は、入力した電子メールに格納された送信元のメールアドレスを検出する。そして、スケジュール格納有無判定部８２は、その検出したメールアドレスと、記憶部１６の特定アドレス記憶領域に記録されている１つまたは複数のメールアドレスとを比較して、一致するメールアドレスが特定アドレス記憶領域に記録されているかを判定する（ステップＳ１０２）。そして、メールアドレスが特定アドレス記憶領域に記録されている場合（一致するメールアドレスが有る場合）には、スケジュール格納有無判定部８２は、次に、電子メールから件名を検出する。そしてスケジュール格納有無判定部８２は、検出した件名と、記憶部１６のスケジュール判定用情報記憶領域に記録されている１つまたは複数の件名とを比較して、一致する件名がスケジュール判定用記憶領域に記録されているかを判定する（ステップＳ１０３）。そして、件名がスケジュール判定用情報記憶領域に記録されている場合（一致する件名が有る場合）には電子メールにスケジュール情報が格納されていると判定し（ステップＳ１０４）、その後、スケジュール格納有無判定部８２は重複通知メッセージ返信部８３へ電子メールを出力する。
【００２１】
次に、重複通知メッセージ返信部８３は、受信した電子メールからスケジュール情報のうちのスケジュール登録日とスケジュール登録時間を検出する。そして、そのスケジュール登録日およびスケジュール登録時間で特定される日時のスケジュール情報が既に、記憶部１６のスケジュール情報記憶領域に登録されているかを判定する（ステップＳ１０５）。そして、スケジュール情報のうちのスケジュール登録日とスケジュール登録時間を示す他のスケジュール情報が記憶部１６に記録されていない場合には、重複通知メッセージ返信部８３は、スケジュール格納有無判定部８２へ「重複無し」を示す情報を出力する。そして、スケジュール格納有無判定部８２は、「重複無し」を示す情報を入力すると、スケジュール情報登録部８４へスケジュール情報を格納したスケジュール登録要求を出力し、スケジュール情報登録部８４が、スケジュール情報を記憶部１６のスケジュール情報記憶領域へ登録する（ステップＳ１０６）。なお当該スケジュール情報記憶領域に登録されたスケジュール情報は、端末装置１に備えられたスケジュール機能を提供するスケジュール管理アプリケーションによって利用される情報が格納される記憶領域である。従って、ユーザが端末装置１を操作してスケジュール管理アプリケーションを起動した場合、記憶部１６のスケジュール情報記憶領域に登録されたスケジュール情報が、スケジュール管理アプリケーションによって読み込まれ、画面などに表示されることとなる。
また、端末装置１の制御部１８は、ステップＳ１０２またはステップＳ１０３の何れかにおいて一致しないと判定した場合には、電子メールの通常の受信処理を行う（ステップＳ１０７）。
【００２２】
以上の処理によれば、電子メールにスケジュール情報が格納され、さらに既に登録されているスケジュール情報との間に日付、時間の重複が無い場合には、電子メールで通知されたスケジュール情報が自動的に登録され、スケジュール管理アプリケーションによって閲覧可能となる。これにより、スケジュール登録のユーザの手間を軽減することができる。
【００２３】
また、スケジュール情報登録部８４は、スケジュール情報を登録すると同時にスケジュール日時情報表示部８５へスケジュール情報を出力する。するとスケジュール日時情報表示部８５は、待ち受け画面表示設定をメモリ等から読取り、その設定が「待ち受け画面出力要」を示すかを判定する（ステップＳ１０８）。そして、待ち受け画面表示設定が「待ち受け画面出力要」である場合には、入力したスケジュール情報のうちの、スケジュール登録日やスケジュール登録時間を取得し、それらスケジュール登録日やスケジュール登録時間示すスケジュール日時情報を表示部１５へ出力する（ステップＳ１０９）。なお、待ち受け画面表示設定が「待ち受け画面出力要」であるか否かに係わらず、スケジュール日時情報を表示部１５へ出力するようにしてもよい。
【００２４】
表示部１５は端末装置１の待ち受け画面の所定の位置にこれらスケジュール登録日およびスケジュール登録時間を表示する。例えば、待ち受け画面に既に表示されているカレンダーの日付や時間の表示のうち、スケジュール登録日やスケジュール登録時間を示す日付や時間をハイライト表示するなどしてもよいし、スケジュール登録日とスケジュール登録時間を記載したアイコンを待ち受け画面の所定の位置に表示するなどしてもよい。なお、待ち受け画面に表示されるスケジュール日時情報には、少なくともスケジュール登録日が表示される。
【００２５】
以上の処理により、スケジュール情報を格納した電子メールを端末装置１で着信し、そのスケジュール情報が登録された場合には、待ち受け画面にそのスケジュール情報のうちのスケジュール登録日やスケジュール登録時間を示すスケジュール日時情報が自動的に表示される。これによりユーザは、新たに登録されたスケジュール情報を容易に確認することができ、これにより、登録されたスケジュールを確認する労力や、確認忘れを軽減することができ、スケジュール管理機能としての操作性の向上を図ることができる。
【００２６】
図５は待ち受け画面に表示されたスケジュール日時情報の一例を示す図である。
この図は、最新のスケジュール情報が登録された場合に待ち受け画面に表示されるスケジュール日時情報の例であり、図で示すように、現在の日時、スケジュール登録日、スケジュール登録時間、スケジュール登録名、アラーム有り情報などが表示される。この例では、スケジュール登録時間が、時間帯を表す帯の形式で表示されている。
【００２７】
ここで、待ち受け画面に表示されたスケジュール登録日時やスケジュール登録時間のスケジュール日時情報（カレンダーの日付、時間や、アイコンなど）は、ユーザが操作部１４を利用して選択可能に表示されている。ユーザが操作部１４を用いて当該スケジュール日時情報を選択することにより、参加可否を電子メールの送信元に通知するために用いられる参加可否登録用画面が表示部１５により待ち受け画面に表示される。より具体的には、カーソルの移動操作などにより、操作部１４や表示部１５からスケジュール日時情報の選択を指示する信号を参加可否登録用画面出力部８６が受け付けると（ステップＳ１１０）、当該参加可否登録用画面出力部８６は、現在待ち受け画面に表示されているスケジュール情報のうちの選択されたスケジュール日時情報についてハイライト表示にするとともに、参加可否登録用画面を表示部１５へ出力する（ステップＳ１１１）。そして表示部１５が参加可否登録用画面を待ち受け画面へ出力する。
【００２８】
当該参加可否登録用画面には、参加可または参加不可の登録ボタンが表示されている。参加可否登録用画面出力部８６は、参加可または参加不可の何れの登録ボタンが押下されるかを判定する（ステップＳ１１２）。このときユーザが操作部１４により、参加可の登録ボタンを押下すると、それを参加可否登録用画面出力部８６が検出し、スケジュール情報の登録が完了する。
なお、本実施形態においては、受信した電子メールにスケジュール情報が格納され、既に記録されたスケジュール情報との重複が無い場合には、直ちに、記憶部１６にスケジュール情報を登録しているが、スケジュール情報登録部８４がスケジュール情報を一時的にメモリ等に記憶しておき、参加可否登録用画面において参加可の登録ボタンが押下されたことを参加可否登録用画面出力部８６から通知された場合に、初めて、スケジュール情報を記憶部１６に登録するようにしてもよい。
【００２９】
他方、ユーザが操作部１４により、参加不可の登録ボタンを押下すると、それを参加可否登録用画面出力部８６が検出し、スケジュール情報の破棄を決定する。この場合、参加可否登録用画面出力部８６は、スケジュール情報登録部８４に対して、参加不可の登録ボタンが押下されたスケジュール情報の識別情報（スケジュール登録日やスケジュール登録時刻、スケジュール登録名など）を格納したスケジュール破棄要求を出力する。すると、スケジュール情報登録部８４は、スケジュール破棄要求を入力し、当該スケジュール破棄要求に格納された識別情報に基づいて、記憶部１６のスケジュール情報記憶領域に記録されている、対応するスケジュール情報の削除する処理を行う（ステップＳ１１３）。これにより、端末装置１のユーザが参加不可と判定したスケジュール情報が自動的に記憶部１６から削除される。
なお、参加可否登録用画面において参加不可の登録ボタンが押下された場合において、記憶部１６からその参加不可とされたスケジュール情報を削除せずに、参加不可のフラグをそのスケジュール情報に対応付けて登録するようにしてもよい。この場合スケジュール管理アプリケーションは、参加不可のフラグの立っているスケジュール情報について、色を変化させるなどしてスケジュール一覧などに表示する。このようにすることで、スケジュールに参加できる状況に後日変化した場合でも、そのスケジュール情報を直ちに閲覧することが可能となる。
【００３０】
また、参加可否登録用画面出力部８６は、参加不可の登録ボタンが押下されると、参加不可の登録ボタンが押下されたスケジュール情報の識別情報を格納した参加不可通知メッセージ送信要求を、参加不可通知メッセージ返信部８７へ出力する。参加不可通知メッセージ返信部８７は、参加不可通知メッセージ送信要求を入力すると、その参加不可通知メッセージ送信要求に格納されているスケジュール情報の識別情報を格納した参加不可通知メッセージを生成し、無線処理部１７を介してスケジュール情報を格納した電子メールの送信元の他の端末装置へ送信する（ステップＳ１１４）。なお、参加不可通知メッセージは本実施形態においては電子メールであり、当該電子メールにはユーザが参加不可を希望するスケジュールの識別情報（スケジュール登録日やスケジュール登録時刻、スケジュール登録名など）などが本文に記載される。また件名には「参加不可通知」などの文字列が格納されて送信される。これにより、スケジュール情報を格納した電子メールの送信元の他の端末装置が、スケジュールで示される行事に参加するユーザの一覧から、参加不可通知メッセージを送信した端末装置１を保持するユーザの情報を削除する処理を、スケジュール情報の識別情報や参加不可通知メッセージに格納されている端末装置１の電子メールアドレスなどに基づいて行う。
これにより、参加不可の登録ボタンを押下するだけで、スケジュール情報を電子メールで送信した相手に対して、参加不可の通知をユーザの労力なしに行うことができる。
【００３１】
そして、端末装置１に備えられたスケジュール管理アプリケーションは、登録されたスケジュール情報のスケジュール時間の開始時刻、またはその時刻より所定時間（または設定された時間）前の時刻に到達すると、そのスケジュールがアラーム通知設定有りの設定かを判定し、アラーム筒井設定有りの場合には、アラーム音によるユーザへのスケジュール時間になったことを報知部１１により報知する。
【００３２】
以上、本発明の実施形態について説明したが、上述の端末装置１の処理によれば、電子メールにスケジュール情報が格納され、さらに既に登録されているスケジュール情報との間に日付、時間の重複が無い場合には、電子メールで通知されたスケジュール情報が自動的に登録され、スケジュール管理アプリケーションによって閲覧可能となる。これにより、スケジュール登録のユーザの手間を軽減することができる。
【００３３】
また、上述の処理によれば、スケジュール情報を格納した電子メールを端末装置１で着信し、そのスケジュール情報が登録された場合には、待ち受け画面にそのスケジュール情報のうちのスケジュール登録日やスケジュール登録時間を示すスケジュール日時情報が自動的に表示される。これによりユーザは、新たに登録されたスケジュール情報を容易に確認することができ、これにより、登録されたスケジュールを確認する労力や、確認忘れを軽減することができ、スケジュール管理機能としての操作性の向上を図ることができる。
【００３４】
また、上述の処理によれば、スケジュール情報を格納した電子メールを端末装置１で着信し、そのスケジュール情報が登録された場合には、待ち受け画面にそのスケジュール情報のうちのスケジュール登録日やスケジュール登録時間を示すスケジュール日時情報が自動的に表示される。これによりユーザは、新たに登録されたスケジュール情報を容易に確認することができ、これにより、登録されたスケジュールを確認する労力や、確認忘れを軽減することができ、スケジュール管理機能としての操作性の向上を図ることができる。
【００３５】
また上述の処理によれば、参加不可の登録ボタンを押下するだけで、スケジュール情報を電子メールで送信した相手に対して、参加不可の通知をユーザの労力なしに行うことができる。
【００３６】
なお、上述の端末装置は内部に、コンピュータシステムを有している。そして、上述した各処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００３７】
また、上記プログラムは、前述した機能の一部を実現するためのものであっても良い。さらに、前述した機能をコンピュータシステムにすでに記録されているプログラムとの組み合わせで実現できるもの、いわゆる差分ファイル（差分プログラム）であっても良い。
【符号の説明】
【００３８】
１１・・・報知部
１２・・・マイク
１３・・・レシーバ
１４・・・操作部
１５・・・表示部
１６・・・記憶部
１７・・・無線処理部
１８・・・制御部
１９・・・アンテナ
８１・・・メッセージ情報受信部
８２・・・スケジュール格納有無判定部
８３・・・重複通知メッセージ返信部
８４・・・スケジュール情報登録部
８５・・・スケジュール日時情報表示部
８６・・・参加可否登録用画面出力部
８７・・・参加不可通知メッセージ返信部
【図１】
2012128626.tif 000003
【図２】
2012128626.tif 000004
【図３】
2012128626.tif 000005
【図４】
2012128626.tif 000006
【図５】
2012128626.tif 000007